(57)【要約】【課題】一度に多数のＩＤデータを持つ無線通信端末が特定の微弱無線通信アンテナ（固定局）の通信エリアに入った場合にもＩＤデータの認識エラーの発生を抑制することが可能な方法および当該方法を実現するシステムを提供すること。【解決手段】無線通信システム１の無線通信端末１０は、固定局２０からの認識確認データを受信したことに応じて、所定の位置関係の範囲内（通信可能エリア）から退出するまでの間、ＩＤデータの送信を要求するデータを受信してもＩＤデータの送信を制限する。従って、仮に多数の前記無線通信端末１０が一度に前記固定局２０の通信可能エリアに進入した場合にも、前記固定局２０からの認識確認データを受信した（ＩＤデータが認識された）後、前記無線通信端末１０は、前記所定の範囲から退出するまで、前記固定局２０からの要求を受信してもＩＤデータの送信を制限することができる。【選択図】図１
2008172639.tif 000002
【特許請求の範囲】
【請求項１】
ＩＤデータを記憶している無線通信端末と、前記無線通信端末と所定の位置関係の範囲内において無線通信が可能な固定局と、を含む無線通信システムが前記無線通信端末の位置を認識する方法であって、
前記固定局は、所定の位置関係の範囲内に位置する前記無線通信端末にＩＤデータの送信を要求するデータを送信するステップと、
前記無線通信端末からのＩＤデータの送信を受け付けたことに応じて、前記無線通信端末に認識確認データを送信するステップと、を含み、
前記無線通信端末は、前記固定局からのＩＤデータの送信を要求するデータを受信したことに応じて、受信した前記無線通信端末が記憶しているＩＤデータを前記固定局に送信するステップと、
前記固定局からの認識確認データを受信するステップと、
前記固定局からの認識確認データを受信した後、前記所定の位置関係の範囲内から退出し、所定の時間以上連続して前記固定局からのＩＤデータの送信を要求するデータの受信がない状態となるまでの間、ＩＤデータの送信を要求するデータを受信してもＩＤデータの送信を制限するステップと、を含む方法。
【請求項２】
前記無線通信システムは、前記固定局と通信ネットワークを介して接続可能なサーバをさらに備え、
前記固定局は、前記無線通信端末からのＩＤデータの送信を受け付けたことに応じて、前記送信を受け付けたＩＤデータを、前記固定局の位置を表すデータと共に、前記通信ネットワークを介して前記サーバに送信するステップをさらに含む請求項１に記載の方法。
【請求項３】
前記無線通信端末は、警報音を発する音声出力部をさらに備え、
前記ＩＤデータを前記固定局に送信するステップにおいて、前記無線通信端末のユーザからの警報音の発信操作を受け付けたことに応じて、異常の発生を報知するためのデータを前記固定局に送信し、
前記固定局は、前記無線通信端末からの前記ＩＤデータおよび前記異常の発生を報知するためのデータを受け付けたことに応じて、前記送信を受け付けたＩＤデータおよび前記異常の発生を報知するためのデータを、前記固定局の位置を表すデータと共に、前記通信ネットワークを介して前記サーバに送信するステップをさらに含む請求項２に記載の方法。
【請求項４】
前記無線通信システムは、所定のエリアへの進入・退出経路上に複数設置された前記固定局を含んで構成され、
前記サーバは、受信したＩＤデータを送信した前記固定局の順序に基づいて、前記ＩＤデータを記憶している無線通信端末の前記所定のエリアへの進入あるいは退出を認識するステップを含む、請求項２または請求項３に記載の方法。
【請求項５】
ＩＤデータを記憶している無線通信端末の位置を認識するために、前記無線通信端末と、前記無線通信端末と所定の位置関係の範囲内において無線通信が可能な固定局と、を含む無線通信システムであって、
前記固定局は、所定の位置関係の範囲内に位置する前記無線通信端末にＩＤデータの送信を要求するデータを送信する手段と、
前記無線通信端末からのＩＤデータの送信を受け付けたことに応じて、前記無線通信端末に認識確認データを送信する手段と、を備え、
前記無線通信端末は、前記固定局からのＩＤデータの送信を要求するデータを受信したことに応じて、受信した前記無線通信端末が記憶しているＩＤデータを前記固定局に送信する手段と、
前記固定局からの認識確認データを受信する手段と、
前記固定局からの認識確認データを受信した後、前記所定の位置関係の範囲内から退出し、所定の時間以上連続して前記固定局からのＩＤデータの送信を要求するデータの受信がない状態となるまでの間、ＩＤデータの送信を要求するデータを受信してもＩＤデータの送信を制限する手段と、を備える無線通信システム。
【請求項６】
前記固定局と通信ネットワークを介して接続可能なサーバをさらに備え、
前記固定局は、前記無線通信端末からのＩＤデータの送信を受け付けたことに応じて、前記送信を受け付けたＩＤデータを、前記固定局の位置を表すデータと共に、前記通信ネットワークを介して前記サーバに送信する手段をさらに備える請求項５に記載の無線通信システム。
【請求項７】
前記無線通信端末は、警報音を発する音声出力部をさらに備え、
前記ＩＤデータを前記固定局に送信する手段は、前記無線通信端末のユーザからの警報音の発信操作を受け付けたことに応じて、異常の発生を報知するためのデータを前記固定局に送信し、
前記固定局は、前記無線通信端末からの前記ＩＤデータおよび前記異常の発生を報知するためのデータを受け付けたことに応じて、前記送信を受け付けたＩＤデータおよび前記異常の発生を報知するためのデータを、前記固定局の位置を表すデータと共に、前記通信ネットワークを介して前記サーバに送信する手段をさらに備える請求項６に記載の無線通信システム。
【請求項８】
所定のエリアへの進入・退出経路上に複数設置された前記固定局を含んで構成され、
前記サーバは、受信したＩＤデータを送信した前記固定局の順序に基づいて、前記ＩＤデータを記憶している無線通信端末の前記所定のエリアへの進入あるいは退出を認識する手段を備える、請求項６または請求項７に記載の無線通信システム。
【請求項９】
ＩＤデータを記憶している無線通信端末の位置を認識するために、前記無線通信端末と所定の位置関係の範囲内において無線通信が可能な固定局に対して、ＩＤデータを送信する前記無線通信端末であって、
前記無線通信端末が前記固定局から所定の位置関係の範囲内に位置するときに、前記固定局からのＩＤデータの送信を要求するデータを受信する手段と、
前記固定局からのＩＤデータの送信を要求するデータを受信したことに応じて、受信した前記無線通信端末が記憶しているＩＤデータを前記固定局に送信する手段と、
前記固定局からの認識確認データを受信する手段と、
前記固定局からの認識確認データを受信した後、前記所定の位置関係の範囲内から退出し、所定の時間以上連続して前記固定局からのＩＤデータの送信を要求するデータの受信がない状態となるまでの間、ＩＤデータの送信を要求するデータを受信してもＩＤデータの送信を制限する手段と、を含む無線通信端末。
【発明の詳細な説明】
【技術分野】
【０００１】
本発明は、無線通信端末の位置を認識する方法およびシステムに関する。
【背景技術】
【０００２】
従来、無線通信ネットワークを介して通信が可能な無線通信端末の位置を認識する方法が様々なアプローチで提案されている。
【０００３】
周波数が携帯電話よりも高い１．５ＧＨｚ帯を利用しているＰＨＳ端末は、電波の到達距離が５０〜５００ｍと短いため、当該ＰＨＳ端末と無線通信が可能な基地局の位置情報に基づいて、比較的正確な位置をセンターサーバ側で把握することができる。
【０００４】
一方、ＰＨＳ電波より弱い４００ＭＨｚ帯の小電力無線通信機器や、３００ＭＨｚ帯の微弱無線通信機器に当該無線通信機器を識別するためのＩＤデータを記憶しているＲＦ−ＩＤ等を組み合わせて管理区域の入室管理等を行うことも提案されている。例えば、非接触ＩＣカードと固定局が通信する場合には、固定局は常時通信可能エリア内に繰り返し検出コマンドを送信しており、当該通信可能エリア内に非接触ＩＣカードが進入した場合に、当該非接触ＩＣカードが受信した検出コマンドに対して応答する、という方法が行われている。
【０００５】
ここで、特許文献１には、非接触ＩＣカードが当該非接触ＩＣカードのリーダライタの通信可能エリア内に進入した状態の検出を磁界系のアンテナのインピーダンスの変化をもって行い、進入を検出したときに当該リーダライタが検出コマンドを送信する技術が開示されている。
【０００６】
これは、非接触ＩＣカードが通信可能エリア内に進入したタイミングに合わせて検出コマンドを送信する仕様とすることによって、当該リーダライタが検出コマンドを常時送信する必要がなく、ＣＰＵ負荷を抑制しつつ、検出を迅速に行うことを目的とするものである。
【特許文献１】特開２００４−１１０８１５号公報
【発明の開示】
【発明が解決しようとする課題】
【０００７】
しかしながら、上述の従来の方法は、一度に多数の非接触ＩＣカードのような無線通信端末が特定の微弱無線通信アンテナ（固定局）の通信可能エリアに入ると、一度に大量のＩＤデータの返信を受信することとなり、認識エラー等を引き起こす可能性がある。
【０００８】
具体的には、上述の繰り返し検出コマンドを常時送信する技術においては、通信可能エリア内に進入している非接触ＩＣカードからは、何度も応答信号が送られることになり、そこに新たに多くの非接触ＩＣカードが進入してくると、ますます検出信号に対する応答信号の数が増え、固定局側の処理能力を超えてしまう可能性がある。
【０００９】
さらに、特許文献１のような方法においても、同時に多くの非接触ＩＣカードが進入してきた場合には上述のような効果は発揮されず、磁界系のアンテナによる検出プロセスがかえって処理のオーバーヘッドとなると考えられる。
【００１０】
このような負荷が高い状態においては、非接触ＩＣカードの認識エラーが起きる可能性があり、上述の入室管理や位置情報の把握においても正確なデータを収集することができないことになる。
【００１１】
そこで、本発明は、一度に多数のＩＤデータを記憶している無線通信端末が特定の微弱無線通信アンテナ（固定局）の通信可能エリアに進入してきた場合にもＩＤデータの認識エラーの発生を抑制することが可能な方法および当該方法を実現するシステムを提供することを目的とする。
【課題を解決するための手段】
【００１２】
本発明者らは、ＩＤデータを記憶している無線通信端末側の制御システムに着目し、同制御システムの改善研究と実証実験を繰り返し行うことによってＩＤデータの認識エラーの発生を抑制する方法を見出し、本発明を完成するに至った。本発明は、具体的には以下のようなものを提供する。
【００１３】
（１）  ＩＤデータを記憶している無線通信端末と、前記無線通信端末と所定の位置関係の範囲内において無線通信が可能な固定局と、を含む無線通信システムが前記無線通信端末の位置を認識する方法であって、
前記固定局は、所定の位置関係の範囲内に位置する前記無線通信端末にＩＤデータの送信を要求するデータを送信するステップと、
前記無線通信端末からのＩＤデータの送信を受け付けたことに応じて、前記無線通信端末に認識確認データを送信するステップと、を含み、
前記無線通信端末は、前記固定局からのＩＤデータの送信を要求するデータを受信したことに応じて、受信した前記無線通信端末が記憶しているＩＤデータを前記固定局に送信するステップと、
前記固定局からの認識確認データを受信するステップと、
前記固定局からの認識確認データを受信した後、前記所定の位置関係の範囲内から退出し、所定の時間以上連続して前記固定局からのＩＤデータの送信を要求するデータの受信がない状態となるまでの間、ＩＤデータの送信を要求するデータを受信してもＩＤデータの送信を制限するステップと、を含む方法。
【００１４】
（１）の構成によれば、ＩＤデータを記憶している無線通信端末と、前記無線通信端末と所定の位置関係の範囲内において無線通信が可能な固定局と、を含む無線通信システムは、
前記固定局は、所定の位置関係の範囲内に位置する前記無線通信端末にＩＤデータの送信を要求するデータを送信し、
前記無線通信端末からのＩＤデータの送信を受け付けたことに応じて、前記無線通信端末に認識確認データを送信し、
前記無線通信端末は、前記固定局からのＩＤデータの送信を要求するデータを受信したことに応じて、受信した前記無線通信端末が記憶しているＩＤデータを前記固定局に送信し、
前記固定局からの認識確認データを受信し、
前記固定局からの認識確認データを受信した後、前記所定の位置関係の範囲内から退出し、所定の時間以上連続して前記固定局からのＩＤデータの送信を要求するデータの受信がない状態となるまでの間、ＩＤデータの送信を要求するデータを受信してもＩＤデータの送信を制限することができる、という作用効果を奏する。
【００１５】
このことにより、前記無線通信システムの前記無線通信端末は、前記固定局からの認識確認データを受信したことに応じて、前記所定の位置関係の範囲内（通信可能エリア）から退出し、所定の時間以上連続して前記固定局からのＩＤデータの送信を要求するデータの受信がない状態となるまでの間、ＩＤデータの送信を要求するデータを受信してもＩＤデータの送信を制限する。従って、仮に多数の前記無線通信端末が一度に前記固定局の通信可能エリアに進入した場合にも、前記固定局からの認識確認データを受信した（ＩＤデータが認識された）後、前記無線通信端末は、前記所定の範囲から退出するまで、前記固定局からの要求を受信してもＩＤデータの送信を制限することができる。
【００１６】
その結果、前記固定局は、一度ＩＤデータの送信を受信して認識が完了した無線通信端末については、当該無線通信端末が再び前記所定の範囲（通信可能エリア）から退出し、再び前記所定の範囲（通信可能エリア）に進入するまでの間、進入した当該無線通信端末にＩＤデータの送信を要求するデータを送信しても、当該無線通信端末はＩＤデータを送信してくることがないので、その他のまだＩＤデータの認識が完了していない無線通信端末について、次々とＩＤデータの認識処理を実行することができる。
【００１７】
（２）  前記無線通信システムは、前記固定局と通信ネットワークを介して接続可能なサーバをさらに備え、
前記固定局は、前記無線通信端末からのＩＤデータの送信を受け付けたことに応じて、前記送信を受け付けたＩＤデータを、前記固定局の位置を表すデータと共に、前記通信ネットワークを介して前記サーバに送信するステップをさらに含む（１）に記載の方法。
【００１８】
（２）の構成によれば、前記無線通信システムは、前記固定局と通信ネットワークを介して接続可能なサーバをさらに備え、
前記固定局は、前記無線通信端末からのＩＤデータの送信を受け付けたことに応じて、前記送信を受け付けたＩＤデータを、前記固定局の位置を表すデータと共に、前記通信ネットワークを介して前記サーバに送信することができる、という作用効果を奏する。
【００１９】
このことにより、前記サーバは、前記送信を受け付けたＩＤデータおよび前記固定局の位置を表すデータを受信し、これらのデータに基づいて当該ＩＤデータを記憶している前記無線通信端末の位置を認識することができる。例えば、前記固定局の位置を表すデータが前期固定局の緯度経度を含んで構成されている場合には、前記サーバは、当該ＩＤデータを記憶している無線通信端末の位置を、当該緯度経度の位置に基づいて認識することができる。
【００２０】
従って、例えば、前記サーバは、あらかじめ登録されているアドレスを持つ携帯電話やＰＣに向けて、前記緯度経度に基づいて前記ＩＤデータを記憶している無線通信端末の位置を地図上に表示するためのデータを送信することができる。
【００２１】
（３）  前記無線通信端末は、警報音を発する音声出力部をさらに備え、
前記ＩＤデータを前記固定局に送信するステップにおいて、前記無線通信端末のユーザからの警報音の発信操作を受け付けたことに応じて、異常の発生を報知するためのデータを前記固定局に送信し、
前記固定局は、前記無線通信端末からの前記ＩＤデータおよび前記異常の発生を報知するためのデータを受け付けたことに応じて、前記送信を受け付けたＩＤデータおよび前記異常の発生を報知するためのデータを、前記固定局の位置を表すデータと共に、前記通信ネットワークを介して前記サーバに送信するステップをさらに含む（１）または（２）に記載の方法。
【００２２】
（３）の構成によれば、前記無線通信端末は、警報音を発する音声出力部をさらに備え、
前記ＩＤデータを前記固定局に送信するステップにおいて、前記無線通信端末のユーザからの警報音の発信操作を受け付けたことに応じて、異常の発生を報知するためのデータを前記固定局に送信し、
前記固定局は、前記無線通信端末からの前記ＩＤデータおよび前記異常の発生を報知するためのデータを受け付けたことに応じて、前記送信を受け付けたＩＤデータおよび前記異常の発生を報知するためのデータを、前記固定局の位置を表すデータと共に、前記通信ネットワークを介して前記サーバに送信することができる、という作用効果を奏する。
【００２３】
このことにより、前記無線通信端末は、そのユーザからの警報音の発信操作を受け付けたことに応じて、警報音を出力すると共に、異常の発生を報知するためのデータを前記固定局を介して前記サーバに送信することができる。
【００２４】
その結果、例えば、防犯システムとして前記無線通信システムを構成すれば、前記無線通信端末は、警報音による犯人への威嚇を行いつつ、前記サーバは、あらかじめ登録されているアドレスを持つ携帯電話やＰＣに向けて、その位置情報と共に異常の発生を報知するためのデータを送信することができる。
【００２５】
（４）  前記無線通信システムは、所定のエリアへの進入・退出経路上に複数設置された前記固定局を含んで構成され、
前記サーバは、受信したＩＤデータを送信した前記固定局の順序に基づいて、前記ＩＤデータを記憶している無線通信端末の前記所定のエリアへの進入・退出を認識するステップを含む、（２）または（３）に記載の方法。
【００２６】
（４）の構成によれば、前記無線通信システムは、所定のエリアへの進入・退出経路上に複数設置された前記固定局を含んで構成され、
前記サーバは、受信したＩＤデータを送信した前記固定局の順序に基づいて、前記ＩＤデータを記憶している無線通信端末の前記所定のエリアへの進入あるいは退出を認識することができる、という作用効果を奏する。
【００２７】
このことにより、前記サーバは、例えば、所定のエリアへの進入・退出経路上に２箇所設置された固定局からのＩＤデータの受信順序が進入する方向に沿った順序であれば、前記ＩＤデータを記憶している無線通信端末が前記所定のエリアに進入したことを認識し、逆の順序であれば退出したことを認識することができる。
【００２８】
その結果、例えば、本発明を例えば、学校における登下校管理システムとして構成した場合には、校門と校舎の出入り口に少なくとも２箇所前記固定局を設置し、上述の方法により、前記無線通信端末を所持した児童・生徒の登校あるいは下校の状況を認識することができる。
【００２９】
（５）  ＩＤデータを記憶している無線通信端末の位置を認識するために、前記無線通信端末と、前記無線通信端末と所定の位置関係の範囲内において無線通信が可能な固定局と、を含む無線通信システムであって、
前記固定局は、所定の位置関係の範囲内に位置する前記無線通信端末にＩＤデータの送信を要求するデータを送信する手段と、
前記無線通信端末からのＩＤデータの送信を受け付けたことに応じて、前記無線通信端末に認識確認データを送信する手段と、を備え、
前記無線通信端末は、前記固定局からのＩＤデータの送信を要求するデータを受信したことに応じて、受信した前記無線通信端末が記憶しているＩＤデータを前記固定局に送信する手段と、
前記固定局からの認識確認データを受信する手段と、
前記固定局からの認識確認データを受信した後、前記所定の位置関係の範囲内から退出し、所定の時間以上連続して前記固定局からのＩＤデータの送信を要求するデータの受信がない状態となるまでの間、ＩＤデータの送信を要求するデータを受信してもＩＤデータの送信を制限する手段と、を備える無線通信システム。
【００３０】
（５）の構成によれば、前記無線通信システムを運用することによって（１）と同様の作用効果を奏する。
【００３１】
（６）  前記固定局と通信ネットワークを介して接続可能なサーバをさらに備え、
前記固定局は、前記無線通信端末からのＩＤデータの送信を受け付けたことに応じて、前記送信を受け付けたＩＤデータを、前記固定局の位置を表すデータと共に、前記通信ネットワークを介して前記サーバに送信する手段をさらに備える（５）に記載の無線通信システム。
【００３２】
（６）の構成によれば、前記無線通信システムを運用することによって（２）と同様の作用効果を奏する。
【００３３】
（７）  前記無線通信端末は、警報音を発する音声出力部をさらに備え、
前記ＩＤデータを前記固定局に送信する手段は、前記無線通信端末のユーザからの警報音の発信操作を受け付けたことに応じて、異常の発生を報知するためのデータを前記固定局に送信し、
前記固定局は、前記無線通信端末からの前記ＩＤデータおよび前記異常の発生を報知するためのデータを受け付けたことに応じて、前記送信を受け付けたＩＤデータおよび前記異常の発生を報知するためのデータを、前記固定局の位置を表すデータと共に、前記通信ネットワークを介して前記サーバに送信する手段をさらに備える（６）に記載の無線通信システム。
【００３４】
（７）の構成によれば、前記無線通信システムを運用することによって（３）と同様の作用効果を奏する。
【００３５】
（８）  所定のエリアへの進入・退出経路上に複数設置された前記固定局を含んで構成され、
前記サーバは、受信したＩＤデータを送信した前記固定局の順序に基づいて、前記ＩＤデータを記憶している無線通信端末の前記所定のエリアへの進入あるいは退出を認識する手段を備える、（６）または（７）に記載の無線通信システム。
【００３６】
（８）の構成によれば、前記無線通信システムを運用することによって（４）と同様の作用効果を奏する。
【００３７】
（９）  ＩＤデータを記憶している無線通信端末の位置を認識するために、前記無線通信端末と所定の位置関係の範囲内において無線通信が可能な固定局に対して、ＩＤデータを送信する前記無線通信端末であって、
前記無線通信端末が前記固定局から所定の位置関係の範囲内に位置するときに、前記固定局からのＩＤデータの送信を要求するデータを受信する手段と、
前記固定局からのＩＤデータの送信を要求するデータを受信したことに応じて、受信した前記無線通信端末が記憶しているＩＤデータを前記固定局に送信する手段と、
前記固定局からの認識確認データを受信する手段と、
前記固定局からの認識確認データを受信した後、前記所定の範囲から退出するまでの間、ＩＤデータの送信を要求するデータを受信してもＩＤデータの送信を制限する手段と、を含む無線通信端末。
【００３８】
（９）の構成によれば、前記無線通信端末を運用することによって（１）と同様の作用効果を奏する。
【発明の効果】
【００３９】
本発明によれば、前記無線通信システムの前記固定局は、一度ＩＤデータの送信を受信して認識が完了した無線通信端末については、当該無線通信端末が一旦前記所定の位置関係の範囲内（通信可能エリア）から退出するまで、当該無線通信端末にＩＤデータの送信を要求するデータを送信しても、当該無線通信端末はＩＤデータを送信してくることがない、従って、前記固定局は、その他のまだＩＤデータの認識が完了していない無線通信端末について、次々とＩＤデータの認識処理を実行することができる。このことによって、一度に多数の無線通信端末が前記固定局の通信可能エリアに進入した場合にも、通信の集中によるＩＤデータの認識エラーの発生を抑制することができる。
【発明を実施するための最良の形態】
【００４０】
以下、本発明の実施形態について図面を参照しながら説明する。なお、これから説明するものは本発明の好適な実施形態の一例であって、本発明の技術的範囲はこれらに限られない。
［無線通信システムの全体構成］
【００４１】
図１は、本発明の好適な実施形態の一例に係る無線通信システム１の全体構成を示す図である。
【００４２】
当該無線通信システム１は、ＩＤデータを記憶しておりさらに防犯ブザー機能をもつ無線通信端末１０と、固定局（無線通信アンテナ）２０ａ、２０ｂと、制御用コンピュータ３０と、センターサーバ４０と、ＰＣ５０または携帯電話６０と、を含んで構成する。
【００４３】
固定局（無線通信アンテナ）２０ａ、２０ｂは、それぞれＬＡＮ８０ａ、８０ｂを介してこれらを制御する制御用コンピュータ３０に接続されている。さらに制御用コンピュータ３０とセンターサーバ４０とＰＣ５０または携帯電話６０はそれぞれ、例えばインターネット網や公衆回線網により構成する通信ネットワーク７０を介して接続されている。
【００４４】
固定局（無線通信アンテナ）２０ａ、２０ｂはそれぞれ無線通信端末１０との間で無線通信が可能な通信可能エリアを持つ。無線通信端末１０を所持したユーザが前記通信可能エリア内に進入すると、固定局（無線通信アンテナ）２０ａ、２０ｂは、無線通信端末１０に対して、記憶しているＩＤデータの送信を要求し、無線通信端末１０からのＩＤデータを受信することによって当該無線通信端末１０が受信した当該固定局（無線通信アンテナ）２０ａ、２０ｂの付近に位置していることを認識する。
【００４５】
固定局（無線通信アンテナ）２０ａ、２０ｂは、認識したことを示すデータをＬＡＮ８０ａおよびＬＡＮ８０ｂを介して制御用コンピュータ３０に送信し、制御用コンピュータ３０は通信ネットワーク７０を介して当該データをセンターサーバ４０に送信する。
【００４６】
当該データを受信したセンターサーバ４０は、受信した当該データおよび固定局（無線通信アンテナ）２０ａ、２０ｂの位置データに基づいて、無線通信端末１０の位置を示すデータを、あらかじめ指定されたメールアドレスを持つＰＣ５０や携帯電話６０のユーザに向けて送信する。
【００４７】
これらの一連の処理を本発明に係る無線通信システム１が行うことによって、無線通信端末１０の位置を示すデータをＰＣ５０や携帯電話６０のユーザに自動的に報知することができる。
［固定局（無線通信アンテナ）の構成］
【００４８】
図２は、固定局（無線通信アンテナ）２０ａ、２０ｂの構成を示す図である。
【００４９】
制御部２１０、送受信部２２０、記憶部２３０、通信インターフェイス部２４０がバス２５０を介して接続されている。
【００５０】
制御部２１０は、固定局（無線通信アンテナ）２０ａ、２０ｂ全体の制御を行い、記憶部２３０に記憶されたプログラムを読み出して実行することにより、本発明における各種手段を実現している。
【００５１】
送受信部２２０は、ＩＤデータを記憶している無線通信端末１０との間で無線通信を行うための信号の送受信を行う。
【００５２】
通信インターフェイス部２４０は、ＬＡＮ８０ａあるいは８０ｂを介して制御用コンピュータ３０との間でデータの送受信を行う。
［無線通信端末の構成］
【００５３】
図３は、無線通信端末１０の構成を示す図である。
【００５４】
制御部１１０、送受信部１２０、記憶部１３０、警報操作部１４０、音声出力部１５０がバス１６０を介して接続されている。制御部１１０は、無線通信端末１０全体の制御を行い、記憶部１３０に記憶されたプログラムを読み出して実行することにより、本発明における各種手段を実現している。
【００５５】
送受信部１２０は、固定局（無線通信アンテナ）２０ａ、２０ｂとの間で無線通信を行うための信号の送受信を行う。
【００５６】
記憶部１３０は、無線通信端末１０自身のＩＤデータを記憶しており、固定局（無線通信アンテナ）２０ａ、２０ｂからのＩＤデータの送信要求を受信したことに応じて、無線通信端末１０の制御部１１０は、記憶部１３０から当該ＩＤデータを読み出して送受信部１２０を介して固定局（無線通信アンテナ）２０ａ、２０ｂに向けて送信する。
【００５７】
警報操作部１４０は、ユーザからの警報操作を受け付けて制御部１１０に警報操作受け付け信号を送信し、音声出力部１５０は、制御部１１０の指示に基づいて音声（ブザー）を出力する。
［位置データ認識処理］
【００５８】
図４は、本発明の好適な実施形態の一例に係る位置データ認識処理の流れを示すタイミングチャートである。
【００５９】
まず、固定局２０ａは、常に自局の通信可能エリア内に存在する無線通信端末１０に向けてＩＤデータの送信要求を発信している。
【００６０】
無線通信端末１０ａが固定局２０ａの通信可能エリア内に進入すると、無線通信端末１０ａは、上述のＩＤデータの送信要求を受信したことに応じて、自身が記憶しているＩＤデータ（ａ）を固定局２０ａに向けて返信する。
【００６１】
ここで、無線通信端末１０ａのユーザからの警報操作を警報操作部１４０により受け付けた場合には、無線通信端末１０ａは、音声出力部１５０によって警報ブザーを出力する。さらに、無線通信端末１０ａは、異常の発生を報知するためのデータをＩＤデータ（ａ）と共に固定局２０ａに向けて返信する。
【００６２】
次に、無線通信端末１０ａからのＩＤデータ（ａ）を受信した固定局２０ａは、ＩＤデータ（ａ）を受信したことを報知するためのＡＣＫデータを無線通信端末１０ａに向けて送信すると共に、制御用コンピュータ３０を経由してセンターサーバに（ａ）を確認したことを報知するための（ａ）確認データを送信する。
【００６３】
ここで、無線通信端末１０ａからの異常の発生を報知するためのデータを受信した場合には、固定局２０ａは、前記異常の発生を報知するためのデータを、（ａ）を確認したことを報知するための（ａ）確認データと共に、制御用コンピュータ３０を経由してセンターサーバ４０に向けて返信する。
【００６４】
次に、（ａ）確認データを受信したセンターサーバ４０は、無線通信端末１０ａの位置データの報知をするようにあらかじめ登録されたアドレスを持つ端末（ＰＣ５０あるいは携帯電話６０等）に向けて、固定局２０ａの位置データと（ａ）確認データとに基づいて無線通信端末１０ａの位置を表すデータを送信する。
【００６５】
ここで、固定局２０ａからの異常の発生を報知するためのデータを受信した場合には、センターサーバ４０は、前記異常の発生を報知するためのデータを、無線通信端末１０ａの位置を表すデータと共に、あらかじめ登録されたアドレスを持つ端末（ＰＣ５０あるいは携帯電話６０等）に向けて送信する。
【００６６】
無線通信システム１は、上述の処理を行うことによって、無線通信端末１０ａの位置をあらかじめ登録された端末（ＰＣ５０あるいは携帯電話６０等）に報知することができる。
【００６７】
ここで、固定局２０ａからＡＣＫデータを受信した無線通信端末１０ａは、ＩＤデータの送信を制限するＩＤデータ送信制限モードへ移行する。このモードにおいては、無線通信端末１０ａは、固定局２０ａから引き続きＩＤデータを要求するデータを受信しても、ＩＤデータの送信は行わない。
【００６８】
このことによって、引き続き固定局２０ａの通信可能エリア内に無線通信端末１０ａがとどまっている場合にも、固定局２０ａが無線通信端末１０ａから再度ＩＤデータの受信をすることを避けることができる。
【００６９】
このことによって、固定局２０ａは、その他の無線通信端末（例えば、無線通信端末１０ｂ、無線通信端末１０ｃ等）が通信可能エリア内に進入してきた場合に、まだＩＤデータの受信を行っていないこれらの無線通信端末からのＩＤデータを逐次受信してゆくことが可能となる。
【００７０】
無線通信端末１０ａは、固定局２０ａの通信可能エリアから退出することによって、ＩＤデータ送信制限モードを解除する。このことによって、再び無線通信端末１０ａが通信可能エリア内に進入してきた場合に、固定局２０ａからのＩＤデータの送信要求に応じてＩＤデータを送信することができる。
【００７１】
このようにして、本発明に係る無線通信システム１は、無線通信端末１０ａのＩＤデータの認識を逐次確実に行うことができる。その結果、例えば、学校における集団登校、集団下校などにおいて、一度に多くの児童・生徒がＩＤデータを記憶している無線通信端末１０ａ、１０ｂ、・・・を携帯して校門等に設置した固定局２０ａ等の通信可能エリアに進入してきた場合にも、固定局２０ａ等は、逐次確実に一人ひとりのＩＤデータを認識することができる。
【図面の簡単な説明】
【００７２】
【図１】本発明の好適な実施形態の一例に係る無線通信システムの全体構成を示す図である。
【図２】本発明の好適な実施形態の一例に係る固定局（無線通信アンテナ）の構成を示す図である。
【図３】本発明の好適な実施形態の一例に係る無線通信端末の構成を示す図である。
【図４】本発明の好適な実施形態の一例に係る位置データ認識処理の流れを示すタイミングチャートである。
【符号の説明】
【００７３】
１    無線通信システム
１０、１０ａ、１０ｂ、１０ｃ、１０ｄ  無線通信端末
２０、２０ａ、２０ｂ  固定局（無線通信アンテナ）
３０  制御用コンピュータ
４０  センターサーバ
５０  ＰＣ
６０  携帯電話
７０  通信ネットワーク
８０ａ、８０ｂ  ＬＡＮ
【図１】
2008172639.tif 000003
【図２】
2008172639.tif 000004
【図３】
2008172639.tif 000005
【図４】
2008172639.tif 000006